(57)【要約】【課題】  定着装置におけるヒータの温度を検知するサーミスタの浮き(接触不良)を精度よく検出する。【解決手段】  記録材を加熱する定着フィルム１０３と、前記定着フィルム１０３に前記記録材を押圧する加圧ローラと、定着フィルムを加熱するヒータ１０２と、ヒータ１０２の温度を検出するサーミスタ１０５と、サーミスタ１０５に当接すると共に、定着フィルム１０３に対向して配置されてサーミスタ１０５と共に移動可能な導電体１０６とを有し、サーミスタ１０５及び導電体１０６と、定着フィルム１０３とは、両者間に静電容量を形成する電極を構成し、前記静電容量に応じてヒータ１０２とサーミスタ１０５との接離を検出する。【選択図】  図２
2016014820.tif 000002
【特許請求の範囲】
【請求項１】
記録材に転写された現像剤像を前記記録材に定着させる定着装置において、
内部に加熱ヒータが配置されて前記記録材を加熱する定着回転体と、
前記加熱ヒータに接触し、該加熱ヒータの温度を検出する温度検知部材と、
前記温度検知部材と電気的に接続して固定されると共に、前記定着回転体に対向して非接触状態で配置される導電体と、
前記温度検知部材の変位を交流電圧が印加される前記定着回転体と前記導電体との間に発生する静電容量の変化に基づいて判断する制御部と、を有することを特徴とする定着装置。
【請求項２】
前記制御部は、前記加熱ヒータと前記温度検知部材とが離れていることを検知したときに、前記加熱ヒータの駆動を停止することを特徴とする請求項１記載の定着装置。
【請求項３】
像担持体に形成された現像剤像を記録材に転写し、前記転写された現像剤像を前記記録材に定着させる画像形成装置において、
前記定着を行う請求項１または請求項２記載の定着装置
を有する画像形成装置。
【発明の詳細な説明】
【技術分野】
【０００１】
本発明は、定着回転体を加熱するヒータの温度を温度検知部材により検出する定着装置及び画像形成装置に関する。
【背景技術】
【０００２】
従来、画像形成装置では、熱ローラ方式やフィルム加熱方式の定着装置を広く用いている。フィルム加熱方式の定着装置は、ヒータと加圧ローラとの間にフィルムを介して記録材上の現像剤像を定着する加熱定着方法を用いている（例えば、特許文献１）。フィルム加熱方式の定着装置では、待機時に電力の供給を受けないので、消費電力を極力低く抑えることができる。
【０００３】
従来の定着装置は、ヒータにおける定着ローラ若しくは定着フィルムとの接触面の反対面に対して、温度検出用のサーミスタをヒータに接触させている。かかる定着装置を備えた画像形成装置は、定着装置のサーミスタで検出した電圧変化からヒータの温度を検出し、検出したヒータの温度に基づいて、記録材上に形成された現像剤像が溶融可能な温度を保つように、ヒータに供給するＡＣ電圧の制御を行っている。
【０００４】
ここで、従来の画像形成装置は、ヒータが所定温度以上に加熱されることにより、サーミスタからの検出電圧が所定の電圧を超えた場合に、ヒータへの電圧供給信号を遮断するフェールセーフ回路を備えている。この際、サーミスタとヒータとが接触していない場合には、正確な温度を検出することができず、ヒータにＡＣ電圧を供給し続けてしまう等の不具合を生じる。従って、画像形成装置は、上記の不具合を回避するために、ヒータとサーミスタとが接触した状態であるか否かを検出する。
【０００５】
かかる状況において、従来の画像形成装置としては、ヒータに対して所定時間に亘ってＡＣ電圧を供給してもサーミスタの検出電圧が規定値を超えない場合に、ヒータとサーミスタとが接触していないことを検出するものが知られている。又、従来の画像形成装置としては、ヒータに対して所定時間ＡＣ電圧を供給した際のサーミスタで検出される温度上昇の時系列変化の傾きに基づいて、ヒータとサーミスタとが接触しているか否かを検出するものが知られている。
【先行技術文献】
【特許文献】
【０００６】
【特許文献１】特開平４−２０４９８０号公報
【発明の概要】
【発明が解決しようとする課題】
【０００７】
しかしながら、従来の構成においては、所定時間に亘ってＡＣ電圧を供給するので、ヒータとサーミスタとが接触していない場合、ヒータの実際の温度が所定時間の間に規定値以上の高温になって、定着装置の周辺部材に高温によるダメージを与えてしまう可能性があるという課題を有する。
【０００８】
また、従来の構成においては、温度上昇の時系列変化によって検出しているため、電源投入時等の温度変化が大きい場合にはサーミスタの接触不良の判断が容易であるが、定着装置が所定温度で温調制御している際は温度上昇の時系列変化が緩やかであるので、その場合に非接触になったときは、ヒータとサーミスタとが接触しているか否かを正確に検出できない。従って、従来の構成においては、ヒータとサーミスタとが接触しているか否かを、電源投入時又はスリープ状態からの復帰後等の定着装置が冷めた状態で検出する必要があり、定着装置が所定温度以上の場合に検出できないという課題を有する。
【０００９】
本発明の目的は、ダメージを受けずに、温度に関わりなく精度よく温度検知部材の浮き上がりを検出する定着装置及び画像形成装置を提供することである。
【課題を解決するための手段】
【００１０】
本発明に係る定着装置は、記録材に転写された現像剤像を前記記録材に定着させる定着装置において、内部に加熱ヒータが配置されて前記記録材を加熱する定着回転体と、前記加熱ヒータに接触し、該加熱ヒータの温度を検出する温度検知部材と、前記温度検知部材と電気的に接続して固定されると共に、前記定着回転体に対向して非接触状態で配置される導電体と、前記温度検知部材の変位を交流電圧が印加される前記定着回転体と前記導電体との間に発生する静電容量の変化に基づいて判断する制御部と、を有することを特徴とする。
【発明の効果】
【００１１】
本発明によれば、温度検知部材と共に移動可能な導電体を定着回転体と対向させて設けたために、前記温度検知部材と固定された前記導電体の移動による前記導電体と定着回転体との間の静電容量の変化によって、温度検知部材の変位を高精度に検出できる。これによって定着装置の周辺部材が高温によるダメージを受けることなく、また検出時のヒータ温度に関わりなく温度検知部材の浮き上がりを検出することができる。
【図面の簡単な説明】
【００１２】
【図１】本発明の実施形態に係る画像形成部の断面図
【図２】本発明の実施形態に係る定着装置の断面図
【図３】本発明の実施形態における温度制御及び浮き上がり検出機構の構成を示す図
【図４】本発明の実施形態に係る画像形成装置の動作を示すフロー図
【図５】本発明の実施形態に係る画像形成装置の定着回転体の断面図
【発明を実施するための形態】
【００１３】
以下、図面を適宜参照して、本発明の実施形態に係る画像形成装置につき、詳細に説明する。
【００１４】
＜画像形成装置の全体構成＞
本発明の実施形態に係る画像形成装置１の構成につき、図１を参照しながら、以下詳細に説明する。
【００１５】
画像形成装置１は、感光体３と、レーザスキャナ４と、主電源５と、給送ローラ７と、レジストローラ８と、転写ローラ９と、定着装置１０と、フラッパ１２と、現像装置１３と、給送カセット３２と、を有している。
【００１６】
像担持体である感光体３は、レーザスキャナ４からのレーザー光Ｌの走査により静電潜像が形成されると共に、現像装置１３により現像されて静電潜像から現像剤像が形成される。
【００１７】
レーザスキャナ４は、画像情報の時系列デジタル画素信号に応じて変調されたレーザー光Ｌを走査する。
【００１８】
主電源５は、図示しない商用電源より電力の供給を受けることにより画像形成装置１を起動する。
【００１９】
給送ローラ７は、給送カセット３２から記録材を取り出して搬送する。
【００２０】
レジストローラ８は、停止中において記録材の斜行補正を行うと共に、レジストクラッチの駆動連結により回転して記録材を画像形成部に搬送する。
【００２１】
転写ローラ９は、感光体３とは逆極性の転写バイアスが印加されることで、感光体３上に形成された現像剤像を記録材上に静電転写する。
【００２２】
定着装置１０は、記録材上に形成された現像剤像を記録材に定着させると共に、記録材を搬送する。なお、定着装置１０の構成の詳細については後述する。
【００２３】
フラッパ１２は、自重で搬送パスを切り替えることにより、両面印字の際に反転されてきた記録材を定着装置１０に再度戻らないようにする。
【００２４】
現像装置１３は、感光体３に形成された静電潜像を現像して、感光体３に現像剤像を形成する。
【００２５】
給送カセット３２は、記録材を収納している。
【００２６】
＜定着装置の構成＞
本発明の実施形態に係る定着装置１０の構成につき、図２を参照しながら、以下詳細に説明する。なお、図２において、図１と同一構成である部分については同一符号を付して、その詳細な説明を省略する。
【００２７】
定着装置１０は、定着ヒータ１０２と、定着フィルム１０３と、加圧ローラ１０４と、温度検知部材であるサーミスタ１０５と、導電体１０６と、を有している。
【００２８】
定着ヒータ１０２は、図示しないステイホルダに固定して支持されており、定着フィルム１０３の内側に当接している。定着ヒータ１０２は、電圧が供給された際に発熱して定着フィルム１０３を加熱する。
【００２９】
定着回転体である定着フィルム１０３は、定着ヒータ１０２により加熱されて記録材を加熱する。定着フィルム１０３は、図示しないステイホルダの外周を移動可能にステイホルダに保持されている。定着フィルム１０３は、図示しない定着モータにより駆動されている加圧ローラ１０４の回転力により、図２の矢印ａの方向に回転する。
【００３０】
加圧回転体である加圧ローラ１０４は、定着フィルム１０３に対して加圧することにより、定着フィルム１０３に記録材を押圧する。加圧ローラ１０４は、定着フィルム１０３と共に回転することにより、記録材を搬送する。そして、前記定着フィルム１０３は加圧ローラ１０４によって前記ステイホルダに圧接し、定着ヒータ１０２との位置関係が固定されている。
【００３１】
サーミスタ１０５は、定着ヒータ１０２の定着フィルム１０３と接している面の反対面に接触している。サーミスタ１０５は、定着ヒータ１０２の定着フィルム１０３と接している面の反対面の温度に応じた電圧を出力する。サーミスタ１０５は、温度によって抵抗値が変化し、温度が高いほど抵抗値は小さくなり、温度が低いほど抵抗値は大きくなる特性を有しており、この特性を利用して温度検出を行っている。
【００３２】
導電体１０６は、アルミ等で製作された薄板状のもので、サーミスタ１０５に固定されていると共に、定着フィルム１０３に対向して配置されている。導電体１０６は、サーミスタ１０５に固定されているので、サーミスタ１０５と一体的に移動可能になっている。即ち、導電体１０６は、サーミスタ１０５が定着ヒータ１０２から浮き上がって図２の上方に移動した際に、サーミスタ１０５と一緒に上方に移動する。なお、導電体１０６は、サーミスタ１０５と共に移動可能になっていれば、必ずしもサーミスタ１０５に固着していなくてもよい。
【００３３】
定着フィルム１０３を挟んで定着ヒータ１０２と加圧ローラ１０４との間には、所定のニップ幅の定着ニップ部Ｎが形成されている。
【００３４】
＜温度制御機構及びサーミスタの浮き上がり検出機構の構成＞
本発明の実施形態における温度制御機構及びサーミスタの浮き上がり検出機構の構成につき、図２を参照しながら、以下詳細に説明する。
【００３５】
バイアス印加部５０１は、交流バイアス印加部５０２及び直流バイアス印加部５０３を有している。バイアス印加部５０１は、制御部５０４の制御に従って、交流バイアス印加部５０２及び直流バイアス印加部５０３より定着フィルム１０３に電圧を印加して、定着フィルム１０３を現像剤像と同極性に帯電させる。例えば、バイアス印加部５０１は、記録材に転写されたマイナスに帯電した現像剤像に対応して、定着フィルム１０３をマイナスに帯電させる。
【００３６】
バイアス印加部５０１は、定着フィルム１０３を現像剤像と同極性に帯電させることにより、現像剤像と定着フィルム１０３との間で静電的斥力を発生させ、記録材上の現像剤像と定着フィルム１０３との間で吸引力を生じないようにする。これにより、記録材上の現像剤像は、記録材から定着フィルム１０３の表面への転移を抑制される。このように、定着フィルム１０３を現像剤像と同極性に帯電させることにより、現像剤のオフセットやオフセットによる記録材の汚れを防止して画像品質を維持することができる。
【００３７】
制御部５０４は、定着装置１０からのサーミスタ電圧ａ−２に基づいてヒータドライブ信号を電源部５０８に出力して、定着ヒータ１０２の温度制御を行う。制御部５０４は、ＣＭＰ１００３から入力されたサーミスタ浮検知信号に基づいて、定着ヒータ１０２とサーミスタ１０５との接離の状態を検出する。制御部５０４は、定着ヒータ１０２からサーミスタ１０５が浮き上がった検出結果を得た場合に、電源部５０８に対して、定着ヒータ１０２に対する電圧の供給を停止させる制御を行う。制御部５０４は、バイアス印加部５０１における定着フィルム１０３に対する電圧の印加を制御する。
【００３８】
電圧印加部である電源部５０８は、制御部５０４からのヒータドライブ信号に基づいて、定着ヒータ１０２に電圧を供給する。電源部５０８は、制御部５０４の制御により、定着ヒータ１０２に対する電圧の供給を停止する。
【００３９】
抽出部であるＨＰＦ（ハイパスフィルタ）１００１は、定着装置１０からのサーミスタ電圧ａ−２の交流成分を抽出してＡＭＰ１００２に出力する。
【００４０】
ＡＭＰ（アンプ）１００２は、ＨＰＦ１００１から入力された交流成分を増幅してＣＭＰに出力する。
【００４１】
ＣＭＰ（比較器）１００３は、ＡＭＰ１００２から入力された交流成分と基準値とを比較して、サーミスタ浮検知信号を制御部５０４に出力する。
【００４２】
＜定着装置の動作＞
本発明の実施形態に係る定着装置１０の動作につき、図２を参照しながら、以下詳細に説明する。
【００４３】
まず、定着ヒータ１０２に通電して定着ヒータ１０２を所定の温度に加熱して温度調整する。
【００４４】
次に、定着フィルム１０３を矢印ａ方向に回転させた状態において、未定着の現像剤像を形成された記録材Ｐを、定着ニップ部Ｎに導入する。
【００４５】
次に、記録材Ｐは、定着フィルム１０３と加圧ローラ１０４とにより挟持され、記録材Ｐ上の現像剤像が定着フィルム１０３の面に密着した状態で、定着フィルム１０３と一体的に定着ニップ部Ｎに搬送される。
【００４６】
次に、定着ニップ部Ｎでは、記録材Ｐ及び現像剤像が定着ヒータ１０２により定着フィルム１０３を介して加熱され、記録材Ｐ上の現像剤像が記録材Ｐに定着される。
【００４７】
次に、記録材Ｐは、定着ニップ部Ｎを通過した後に、定着フィルム１０３の表面から剥離して搬送されることにより画像形成装置１の外部に排出される。
【００４８】
＜定着ヒータの温度制御＞
本発明の実施形態における制御部５０４の制御による定着ヒータ１０２の温度制御につき、図２を参照しながら、以下詳細に説明する。
【００４９】
まず、制御部５０４は、ヒータドライブ信号を電源部５０８に出力する。
【００５０】
次に、電源部５０８は、ヒータＯＮ／ＯＦＦ信号を定着ヒータ１０２に出力する。
【００５１】
次に、定着ヒータ１０２は、定着ニップ部Ｎにおいて記録材と現像剤像とを加熱する。この際、サーミスタ１０５は、定着ヒータ１０２に接触した状態で配置されており、定着ヒータ１０２が加熱されることにより、抵抗値がリニアに変化する。サーミスタ１０５の抵抗値の変化は、Ｖｃｃ５１０と抵抗５１１とで、サーミスタ電圧ａ−２に変換される。サーミスタ電圧ａ−２は、制御部５０４のＡＮポートへ入力される。
【００５２】
次に、制御部５０４は、図示しないＲＯＭに予め記憶されている電圧値と温度とを対応付けたテーブルを読み出し、入力されたアナログ値であるサーミスタ電圧ａ−２に対応付けられている温度を定着ヒータ１０２の温度として検出する。
【００５３】
次に、制御部５０４は、検出した温度に基づいて、電源部５０８にヒータドライブ信号を出力して、現像剤像の定着に必要な温度になるように、定着ヒータ１０２の温調制御を行う。
【００５４】
＜サーミスタの浮き上がり検出方法＞
本発明の実施形態におけるサーミスタ１０５の浮き上がり検出方法につき、図２を参照しながら、以下詳細に説明する。
【００５５】
上述したようにオフセットの発生を防止するために定着フィルム１０３に交流電圧が印加されると、導電体１０６と導電体１０６に対向して配置されている定着フィルム１０３の両者間に静電容量ａ−１が形成される。すなわち、サーミスタ１０５に固定されている導電体１０６と、定着フィルム１０３とは、両者の間に静電容量を形成する電極として構成される。
【００５６】
ここで、コンデンサの容量は、一般的に、Ｃ＝ε×（Ｓ／Ｌ）で表される。なお、Ｃはコンデンサ容量、εは誘電率、Ｓは面積、及びＬは距離である。
【００５７】
定着ヒータ１０２に対してサーミスタ１０５が接触している場合と浮いている場合とでは、導電体１０６と定着フィルム１０３との距離Ｌが異なるため、上記の式よりコンデンサ容量Ｃも異なる。つまり、静電容量ａ−１は、サーミスタ１０５が定着ヒータ１０２に対して浮いた場合に、サーミスタ１０５が定着ヒータ１０２に接触している場合に比べて、コンデンサ容量Ｃが小さくなるという特徴がある。
【００５８】
一方、定着フィルム１０３には、接点ブラシ５１２を介して、バイアス印加部５０１より電圧が印加されている。印加された電圧のうちの交流成分は、静電容量ａ−１を介して、サーミスタ電圧ａ−２に交流成分として重畳される。
【００５９】
この際、導電体１０６が存在することによって、サーミスタ１０５と定着フィルム１０３との間のコンデンサ容量Ｃを求める際のパラメータとなる面積Ｓがサーミスタ１０５単体の場合に比べて大きくなり、その結果、両者間の距離の変化に対する静電容量ａ−１の変化を増大させることができる。静電容量ａ−１を増大させることにより、静電容量ａ−１を介してサーミスタ電圧ａ−２に重畳される交流成分に対するノイズの影響を低減することができるので、サーミスタ１０５の浮き上がりをより精度よく検出することができる。
【００６０】
次に、本発明の実施形態におけるサーミスタ１０５の浮き上がり検出方法につき、図３を参照しながら、更に詳細に説明する。なお、図３において、図１及び図２と同一構成である部分については同一符号を付して、その詳細な説明を省略する。
【００６１】
図３は、定着装置１０と、バイアス印加部５０１と、静電容量ａ−１と、サーミスタ電圧ａ−２と、ＨＰＦ１００１と、ＡＭＰ１００２と、ＣＭＰ１００３と、制御部５０４と、に関する等価回路である。なお、図３では、電源部５０８の記載を省略している。
【００６２】
バイアス印加部５０１が駆動された場合、バイアス印加部５０１から定着フィルム１０３に印加された電圧を、定着フィルム１０３の合成インピーダンスと、加圧ローラ１０４の合成インピーダンスと、で分圧した電圧が接続部２０１に現れる。接続部２０１に現れる電圧は、交流と直流とが重畳されたものである。接続部２０１に現れた交流と直流とが重畳された電圧は、静電容量ａ−１により直流成分を除かれて、交流成分のみになる。そして、交流成分のみとなった接続部２０１からの電圧は、定着ヒータ１０２の温度に対応したサーミスタ１０５からの直流成分の電圧に重畳されてサーミスタ電圧ａ−２として、制御部５０４及びＨＰＦ１００１に入力される。
【００６３】
ＨＰＦ１００１は、サーミスタ電圧ａ−２より特定周波数の交流成分のみを抽出する。また、ＡＭＰ１００２は、ＨＰＦ１００１で抽出された交流成分を増幅する。そして、ＣＭＰ１００３は、ＡＭＰ１００２で増幅された交流成分と、予め設定した基準値と、を比較して、交流成分の大小に基づいて定着ヒータ１０２とサーミスタ１０５との接離を検出する。ＣＭＰ１００３は、ＡＭＰ１００２で増幅された交流成分が基準値より大きい場合、サーミスタ１０５が浮き上がっていることを示すサーミスタ浮検知信号を制御部５０４に出力する。
【００６４】
制御部５０４は、サーミスタ１０５が浮き上がっていることを示すサーミスタ浮検知信号が入力された際に、電源部５０８に対して、定着ヒータ１０２に対する電圧の供給を停止させる制御を行う。
【００６５】
なお、制御部５０４は、直流成分である温度検出情報を含むサーミスタ電圧ａ−２を、図示しないローパスフィルタを通過させることにより、直流成分のみを抽出して温度情報を読み取る。
【００６６】
＜画像形成装置の動作＞
本発明の実施形態に係る画像形成装置１の動作につき、図４を参照しながら、以下詳細に説明する。
【００６７】
まず、制御部５０４は、定着装置１０の定着ニップ部Ｎに記録材が無いことを確認する（Ｓ６０１）。制御部５０４は、定着ニップ部Ｎに記録材が有る場合（Ｓ６０１：ＮＯ）、Ｓ６０１の動作を繰り返す。
【００６８】
一方、制御部５０４は、定着ニップ部Ｎに記録材が無い場合（Ｓ６０１：ＹＥＳ）、バイアス印加部５０１をオンにする（Ｓ６０２）。
【００６９】
次に、制御部５０４は、入力されたサーミスタ浮検知信号より、定着ヒータ１０２にサーミスタ１０５が接触しているかを確認する（Ｓ６０３）。
【００７０】
制御部５０４は、定着ヒータ１０２にサーミスタ１０５が接触している場合（Ｓ６０３：ＹＥＳ）、ヒータ温調制御を許可する（Ｓ６０５）。
【００７１】
一方、制御部５０４は、定着ヒータ１０２からサーミスタ１０５が浮き上がって非接触である場合（Ｓ６０３：ＮＯ）、定着ヒータ１０２に対する電圧の供給を停止する（Ｓ６０４）。
【００７２】
このように、定着装置１０に印加される交流成分を利用して、定着フィルム１０３とサーミスタ１０５に固定されている導電体１０６との間の静電容量を検出して、サーミスタ１０５の浮き上がりを検出することが可能となる。
【００７３】
なお、本実施形態では、定着フィルム１０３に交流電圧を印加しているが、加圧ローラ１０４に電圧を印加しても良いし、定着フィルム１０３と加圧ローラ１０４との両方に交流電圧を印加しても良い。
【００７４】
本実施形態では、サーミスタ１０５に固定すると共に、定着フィルム１０３に対向して配置されてサーミスタ１０５と共に移動可能な導電体１０６を設ける。又、定着装置１０は、サーミスタ１０５により検出した定着ヒータ１０２の温度に対応した直流電圧に、定着フィルム１０３と加圧ローラ１０４とに交流電圧が印加されることにより生じる電圧を重畳したサーミスタ電圧ａ−２を出力する。これにより、本実施形態によれば、定着装置の周辺部材が高温によるダメージを受けることを極力少なくすることができると共に、検出時のヒータ温度に関わりなく精度よくサーミスタの浮き上がりを検出することができる。
【００７５】
本発明の実施形態に係る定着装置１０の構成につき、図５を参照しながら、以下詳細に説明する。なお、図５において、図１から図４と同一構成である部分には同一符号を付して、その説明を省略する。
【００７６】
導電体１０６は、サーミスタ１０５と電気的に接続しているまた、導電体１０６はサーミスタ１０５に固定されていて、サーミスタ１０５と共に移動可能な状態で接続されている。これにより、サーミスタの状態によって導電体１０６と定着フィルム１０３の間に発生する浮遊容量が変位するのでサーミスタの浮き上がりを検出することができる
【００７７】
なお、本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【符号の説明】
【００７８】
１  画像形成装置
１０  定着装置
１０２  定着ヒータ
１０３  定着フィルム
１０４  加圧ローラ
１０５  サーミスタ
１０６  導電体
５０１  バイアス印加部
５０２  交流バイアス印加部
５０３  直流バイアス印加部
５０４  制御部
５０８  電源部
ａ−１  静電容量
ａ−２サーミスタ電圧  Ｎ  定着ニップ部
【図１】
2016014820.tif 000003
【図２】
2016014820.tif 000004
【図３】
2016014820.tif 000005
【図４】
2016014820.tif 000006
【図５】
2016014820.tif 000007